(57)【要約】      （修正有）【課題】暗闇において、より目立易い蓄光および再帰反射を有した多目的リストバンドを提供する。【解決手段】光を効率的に反射する再帰反射部材１を具備した平板状バンドの中央部分に連続して帯状に蓄光部材２を具備し、該蓄光材料の面積を連続で大きくするとともに、腕または足首に容易に捲きつく構造の蓄光による発光と光の再帰反射との両機能を有したリストバンドに着脱可能なスリーブ７を装着させ、このリストバンドの幅方向外側の部分に表示文字が印字されるようにした。更に、前記、着脱可能なスリーブ内に無線ＩＣチップとアンテナを内蔵させ、所定の場所に設置した無線リーダから現在位置を前記所定の遠隔地に知らせるようにすることもできる。【選択図】図１
0003143068.tif 000002
【実用新案登録請求の範囲】
【請求項１】
光を効率的に反射する再帰反射部材を具備した平板形状バンドの中央部分の表面に連続して帯状に蓄光部材を具備し、該蓄光部材の面積を連続で大きくするとともに、腕または足首に容易に捲きつく構造の蓄光による発光と光の再帰反射との両機能を有したリストバンドを構成するとともに、該リストバンドに着脱可能なスリーブを具備し、該着脱可能なスリーブの前記リストバンドにかからない部分に目的に応じた表示文字が印字されていることを特徴とした多目的リストバンド。
【請求項２】
前記着脱可能なスリーブは、屈曲性を有したプラスチック部材の薄いシート、あるいは防水性を有した紙部材で構成するとともに、両端部に前記リストバンドの幅分の切り込みを有し、蓄光による発光と光の再帰反射との両機能を有した面を遮蔽しないような装着が可能となるように構成した請求項１記載の多目的リストバンド。
【請求項３】
前記着脱可能なスリーブは屈曲性を有したプラスチック部材の薄いシート、あるいは防水性を有した紙部材の非金属のシート状部材で構成するとともに、該着脱可能なスリーブ内に所定の電波を受けて固有情報の返信を行う無線ＩＣチップを具備するとともに、前記リストバンド内の金属薄板にかからない部分に、前記無線ＩＣチップのアンテナを有したことを特徴とした請求項１記載の多目的リストバンド。
【請求項４】
前記蓄光部材は、蓄光材をガラスビーズで封じたことを特徴とした請求項１、または請求項３記載の多目的リストバンド。
【考案の詳細な説明】
【技術分野】
【０００１】  本考案は、腕または足に巻きつけられるようにしたリストバンドで、夜間の車や自転車のライトがあたった時に前記リストバンドから光を反射して運転者に注意を喚起して、歩行者または自転車走行者の安全を確保するとともに、暗闇でも蓄光材料からの発光で、歩行者または、自転車通行者の存在を知らせて安全を確保するためのリストバンドに関するものである。
【背景技術】
【０００２】  従来例の一例として、自転車の利用者、歩行者、道路上での作業者などは、夜間では、いたる所で車の往来があり、常に危険にさらされている状況の中で、夜間に目立つ工夫として、反射ベルトの提案（実用新案登録２５７１６１１号公報、実用新案登録２５７０２７２号公報、実用新案登録３０７４５６９号公報）があり、また光るアームバンド（商品名）として再帰反射材料を用い、かつ３個程度の小さな星状の発光材料を有したものもある。
【考案の開示】
【考案が解決しようとする課題】
【０００３】  しかしながら、前記のような従来の反射バンドでは、夜間に目立つ工夫としては十分とは言い難い。また、前記光るアームバンドも光の反射に対して再帰反射材料を用いて目立つ工夫はされているものの、暗闇での発光に対しては、発光部材の面積が非常に小さく、発光による視認性効果は期待できない本考案は、従来の反射バンドに対して光の反射を強めるとともに、暗闇でも蓄光による発光量をあげることにより、夜間車の右折、左折時の運転者の目につきやすく、より強く注意喚起ができるようにすることを目的とする。更に夜にこれらのアームバンドを装着した人が何の目的を持って歩行しているのか、どこの学校に所属する学生なのが分かるようにすると共に、現在の位置を離れたところからわかるようにすることにより利便性と安全性を向上させることを目的とする。
【課題を解決するための手段】
【０００４】  本考案は、上記従来の課題を解決するためになされたものであり、従来の反射バンドに対して、光を効率的に反射する再帰反射機能部材を具備した平板状バンドの中央部分に連続して帯状に蓄光部材を具備し、該蓄光材料の面積を連続で大きくするとともに、腕または足首に容易に捲きつく構造の蓄光による発光と光の再帰反射との両機能を有するとともに、着脱可能なスリーブを装着させ、このリストバンドの幅方向外側の部分にこのリストバンドの用途に応じた表示文字が印字されるようにした。
更に、前記、着脱可能なスリーブ内に無線ＩＣチップとアンテナを具備し、所定の場所に設置した位置情報を有した無線リーダから前記無線ＩＣチップの固有情報を得て現在位置を前記所定の遠隔地に知らせるようにした。
【考案の効果】
【０００５】  本考案によれば、簡単な構成のリストバンドでありながら、再帰反射機能部材による光の反射効果が高められて視認性が向上するとともに、蓄光部材を具備し、該蓄光部材の面積を連続で大きくし、更にこの蓄光部材を再帰反射機能部材の表面に構成したので、この再帰反射機能部材からの光の反射による蓄光効果が増大し、蓄光部材からの発光が高まり暗闇においても視認性が大幅に向上し、本考案のリストバンドをつけた歩行者、自転車走行者の安全確保の向上をはかることができる。更に、目的に応じてこれらのリストバンドを装着した人が何の目的を持って歩行しているのか、例えば○○町内会の防犯委員が町内パトロールをしていることが一目でわかる。更に、夜の塾行き帰りの学生の帰宅途上の現在位置が知らされることにより、より安全、安心を確保することができるリストバンドを提供できる。
【考案を実施するための最良の形態】
【０００６】  本考案の多目的リストバンドの一実施形態を図１、図２に示す。また、図４に本考案の多目的リストバンドの短手方向断面図を示す。図１は本考案の多目的リストバンドの蓄光による発光と光の再帰反射を有する表面の平面図であり、図２は本考案の多目的リストバンドの裏面の平面図である。図３は本考案のリストバンド本体部分の短手方向の断面図を示す。図１で再帰反射機能部材１は、塩化ビニルまたはポリオレフィン等のシート部材の一方の面に例えばプリズムを形成するように加工したものである。図３に示すように再帰反射部材１にプリズムの反対面から光線が入射すると再帰反射光線５が出力される。
図１で蓄光部材２は入射光線のエネルギーを蓄積して発光する部材であり、２００ルックスの光を２０分照射することにより、１０００ミリカンデラ／ｍ２程度の輝度が得られている。この蓄光部材２のトータルの高い発光機能を発揮するには蓄光面積が大きいほど有利となるが、大きくしすぎるとコストが高くなるという欠点がある。本考案では前記蓄光部材２は図１に示したように、前記再帰反射部材２を具備した平板形状バンドの中央部分の表面に連続して帯状に蓄光部材２を配設し、該蓄光部材２の面積をリストバンド幅の略三分の一以上と大きくするとともにリストバンドの長さいっぱいの連続した帯状構成として、蓄光部材２からの発光を高めるように構成している。また、この蓄光部材２は図３に示したように、再帰反射部材１の表面に構成するようにしたので、光線が蓄光部材２を透過した光線は再帰反射光線６として蓄光部材２に再照射され、蓄光効果をより高めるように作用する。更に図示しないが、前記蓄光部材２は蓄光材をガラスビーズ内に封じ込めたものとすることにより、雨等の水滴に対しても強いものとなる。金属薄板３は、図示しないが弾性を有したもので構成するとともに、短手の幅方向に僅かな撓みを持たせた構造とすることにより、腕や足首に容易に捲きつくようにした構造のものである。袋状部材４は、金属薄板３を保持するとともに、併せて再帰反射機能部材１及び蓄光部材２を保持することにより、全体でリストバンドを構成している。この袋状部材４の材質は、再帰反射機能部材１と同じでよいが、リストバンドとして堅牢性を持たせるために再帰反射機能部材１の厚みより少し厚くした方がよい。このリストバンドに着脱可能なスリーブ７を具備し、該着脱可能なスリーブ７の前記リストバンドにかからない部分に、用途や目的に応じた目的別表示文字８、９が印字されるように構成する。前記着脱可能なスリーブ７は、例えば○○町町会と印字した目的別表示文字９の防犯委員と印字した目的別表示文字８や△△小学校等と印字し、用途や目的に応じたものとしている。更に、前記着脱可能なスリーブ７は、屈曲性を有したプラスチック部材、塩化ビニル等の薄いシート、あるいは防水性を有した紙部材で構成するとともに、両端部に前記リストバンドの幅分の切り込みを有し、蓄光による発光と光の再帰反射との両機能を有した面を遮蔽しないような装着が可能となるように構成するようにした。
更に、本考案の他の実施例として、図２、図４の前記着脱可能なスリーブ７は屈曲性を有したプラスチック部材の薄いシート、あるいは防水性を有した紙部材の非金属のシート状部材で構成している。該着脱可能なスリーブ７内に所定の電波を受けて固有情報を返信する無線ＩＣチップ１０を具備するとともに、前記金属薄板３にかからない部分に、前記無線ＩＣチップ１０のアンテナ１１を有するように構成した着脱可能スリーブ７をつけた蓄光及び再帰反射を有した多目的リストバンド１２を腕に装着して夜間に進行方向１９に歩行している人１８が図５に示す歩道に沿って配置された無線リーダ１３、１４、１５の近防を通過するときに、それぞれの無線リーダ１３、１４、１５から無線ＩＣチップ１０が有しているＩＤ等の固有情報が読み取られる。前記無線リーダ１３、１４、１５は、予め設置されている位置情報を有するように構成されているので前記多目的リストバンド１２を装着した人１８からの位置情報は公衆電話回線１８を介してたとえば監視センタ１７に送信される。また、監視センタ１７の代わりに図示しないが携帯電話への配信でもよい。
【実施形態の効果】
【０００７】  本考案によれば、簡単な構成のリストバンドでありながら、再帰反射機能部材による光の反射効果が高められて視認性が向上するとともに、蓄光部材を具備し、該蓄光部材の面積を連続で大きくし、更にこの蓄光部材を再帰反射機能部材の表面に構成したので、この再帰反射機能部材からの光の反射による蓄光効果が増大し、蓄光部材からの発光が高まり暗闇においても視認性が大幅に向上し、本考案のリストバンドをつけた歩行者、自転車走行者の安全確保の向上をはかることができる。更に、目的に応じてこれらのアームバンドを装着した人が何の目的を持って歩行しているのか、例えば○○町内会の防犯委員が町内パトロールをしていることが一目でわかる。更に、夜の塾行き帰りの学生の帰宅途上の現在位置が知らされることにより、より安全、安心を確保することができるリストバンドを提供できる。
【図面の簡単な説明】
【０００８】
【図１】この考案の一実施形態を示す多目的リストバンドの表面の平面図である。
【図２】この考案の一実施形態を示す多目的リストバンドの裏面の平面図である。
【図３】この考案の一実施形態を示すリストバンド本体部分の短手方向断面図である。
【図４】この考案の一実施形態を示す多目的リストバンドの短手方向断面図である。
【図５】この考案の一実施形態を示す多目的リストバンドを利用したシステム図である。
【符号の説明】
【０００９】    １  再帰反射機能部材    ２  蓄光部材    ３  金属薄板    ４  袋状部材
５  再帰反射光線    ６  再帰反射光線    ７  着脱可能なスリーブ
８  目的別表示文字    ９  目的別表示文字    １０  無線ＩＣチップ
１１  アンテナ    １２  多目的リストバンド
１３  無線リーダ    １４  無線リーダ    １５  無線リーダ
１６  公衆電話回線    １７  監視センタ
【図１】
0003143068.tif 000003
【図２】
0003143068.tif 000004
【図３】
0003143068.tif 000005
【図４】
0003143068.tif 000006
【図５】
0003143068.tif 000007